(57)【要約】      （修正有）【課題】挿ピンの長さが制限されることなく、しかも挿ピンの差込強さを向上させることのできる電気コネクタ用シールドケースを提供する。【解決手段】シールドケースは、上壁１、下壁２及び一対の側壁３、４を備える。このシールドケースでは、上壁１の前端縁５の左右両側にそれぞれ、外側に１８０°折り返して延ばされる左板壁１５１及び右板壁１５２を備える。さらに、これら左板壁１５１及び右板壁１５２がそれぞれ左右両側に下向きに曲げられ延ばされて挿ピン１５４等が形成され、これらの挿ピン１５４等により、電気コネクタの挿ピンの少なくとも一部が設けられる。【選択図】図３
0003172106.tif 000002
【実用新案登録請求の範囲】
【請求項１】
上壁と、下壁と、これら上壁及び下壁を連結する一対の側壁とを備え、
前記上壁の前端縁又は後端縁のいずれかの端縁の左右両側にそれぞれ、外側に１８０°折り返して伸ばされる左板壁及び右板壁を備えるとともに、前記左板壁及び前記右板壁がそれぞれ、左右両側に下向きに曲げられ延ばされて挿ピンを形成され、これらの挿ピンにより、電気コネクタの挿ピンの少なくとも一部が設けられる、
ことを特徴とする電気コネクタ用シールドケース。
【請求項２】
左板壁及び右板壁はそれぞれ、上壁の前端縁から後ろへ折り返して曲げられるように設けられることを特徴とする請求項１に記載の電気コネクタ用シールドケース。
【請求項３】
左板壁及び右板壁はそれぞれ、上壁の後端縁から前へ折り返して曲げられるように設けられることを特徴とする請求項１に記載の電気コネクタ用シールドケース。
【請求項４】
左板壁及び右板壁にそれぞれ下向きに曲げられ延ばされてなる挿ピンが、電気コネクタの前挿ピンとして設けられることを特徴とする請求項１に記載の電気コネクタ用シールドケース。
【請求項５】
左板壁及び右板壁にそれぞれ下向きに曲げられ延ばされてなる挿ピンが、電気コネクタの後挿ピンとして設けられることを特徴とする請求項１に記載の電気コネクタ用シールドケース。
【請求項６】
シールドケースの上に固定板が設けられ、前記固定板上にプレートを締め付けるためのネジ穴が設けられることを特徴とする請求項１乃至５のいずれかに記載の電気コネクタ用シールドケース。
【請求項７】
左板壁及び右板壁にそれぞれ下向きに曲げられ延ばされてなる挿ピンに止め穴が設けられ、各側壁における当該各止め穴に対応する位置にそれぞれ止め金が設けられ、当該各止め金の先端が折り曲げられて、前記各止め金と前記各止め穴が相互に嵌め合い係止されることを特徴とする請求項１乃至６のいずれかに記載の電気コネクタ用シールドケース。
【考案の詳細な説明】
【技術分野】
【０００１】
本考案は、電気コネクタ用シールドケースに関する。
【背景技術】
【０００２】
電気コネクタの溶接法は、周知の通り、主に差込式と表面実装式の二つに分けられる。差込式溶接の電気コネクタでは、シールドケースは通常前後２ペアのピンを有し、これらのピンを電子回路基板に差込み、溶接することにより、電気コネクタを電子回路基板上に固定するようになっている。
図１にこのようなタイプの電気コネクタの構造を示している。図１に示すように、シールドケースの後挿ピン１１は、下表面（底面の両側後端縁側）から後端縁に沿って引き出され、側面と平行に側面まで延ばされ、前挿ピン２１は、下表面（底面の両側）の真ん中から引き出され、側面と平行に側面まで延ばされる。これらの２ピンは長さが同じであるが、このような方法で底面から引き出されてできたピンでは、それ自体の構造がプレスに制限があり、前挿ピン２１が下表面から引き出されて伸びる材料面積に限りがあるため、ピンの長さに影響を及ぼすことになる。このタイプのコネクタは、低要求の溶接ニーズのみに対応できる。
【０００３】
このような問題点を解決するために、新型の電気コネクタが中国特許番号ＣＮ２００５２０００４５９９．２により提案されている。この電気コネクタは、絶縁本体、複数の端子、第１筐体及び第２筐体を備えてなり、第２筐体の上に幾つかのピンが設けられており、組立の時に、第２筐体が第１筐体の上に外付けされるようになっている。この構造により、コネクタのピンの長さに対する制限が解消される。このようにしてコネクタ構造において、ピンの長さの問題が有効に解決され、電子製品の応用に合わせて行われる。
【考案の概要】
【考案が解決しようとする課題】
【０００４】
しかしながら、そこからまた、幾つかの問題点が生じている。例えば、コネクタに第２筐体を増設することから、その製造のために金型を作る必要があり、製品コストが高くなり、また、第２筐体を第１筐体に取り付けることで、製造工程が増え、生産能率に影響を与え、製品品質にも影響を及ぼすので、最終的に製造コストが高くなる。このような幾つかの問題点の発生により、低収益のコネクタ業界では、現在、その製造が発展と推進にそぐわないので、現在の実際のニーズに対応するための解決策をあらためて考える必要がある。
【０００５】
本考案は、このような従来の問題点に鑑みなされたもので、上述した欠点や不十分さについて、長期間に亘る研究と学理の応用を行い、上述の欠点と不十分さを解決できる手段を開発しようとするものである。
そこで、本考案は、従来の技術に存在する欠点や不十分な点を改善するために、挿ピンの長さを制限することがなく、しかも挿ピンの差込強さを向上させることのできる電気コネクタ用シールドケースを提供すること、を目的とする。
【課題を解決するための手段】
【０００６】
上記の目的を達成するために、本考案の電気コネクタ用シールドケースは、上壁、下壁、該上壁と下壁を連結する一ペアの側壁が備わり、該上壁の前端縁と後端縁のいずれかの端縁にある左右の両側には、それぞれ外側に１８０°折り返して伸ばされた左板壁と右板壁が設けられ、該左板壁と右板壁はそれぞれ、左右両側に下向きで曲げられて伸ばされた挿ピンが設けられており、該これらの挿ピンは少なくとも、該電気コネクタの挿ピンの一部に設けられていることを要旨とする。
この場合、該左板壁と右板壁は、該上壁の前端縁から折り返して後ろへ曲げられるように設けられていることが好ましい。
該左板壁と右板壁は、該上壁の後端縁から折り返して前へ曲げられるように設けられていることが好ましい。
該左板壁と右板壁はそれぞれ、下向きに曲げられ、伸ばされた挿ピンが、該電気コネクタの前挿ピンに設けられていることが好ましい。
該左板壁と右板壁はそれぞれ、下向きに曲げられ、伸ばされた挿ピンが、該電気コネクタの後挿ピンに設けられていることが好ましい。
該シールドケースの上はまた、固定板が設けられているが、該固定板の上にプレートを締め付けるネジ穴が設けられていることが好ましい。
該左板壁と右板壁は、それぞれ下向きに曲げられ、伸ばされた挿ピンにある止め穴があり、該側壁における該止め穴対応のところにそれぞれ止め金が設けられ、該止め金の先端が折り曲げられ、該止め金と止め穴が互いに嵌め合っていることが好ましい。
【考案の効果】
【０００７】
本考案の電気コネクタ用シールドケースでは、上壁の左右両側に外側に１８０°折り返して伸ばされる左板壁及び右板壁が設けられ、これら左板壁及び右板壁がそれぞれ、左右両側に下向きに曲げられ伸ばされて挿ピンが設けられるので、これらの２挿ピンで、前挿ピンを形成することができ、これらの挿ピンにより、筐体の側壁を分割して全部の挿ピンを形成する必要がなく、また、これらの挿ピンは上壁を折り曲げて形成されるので、挿ピンの長さが筐体の側壁に制限されることがなく、各種の挿ピンの長さを持つ電気コネクタに適用することができる。したがって、この電気コネクタ用シールドケースによれば、電気コネクタの適用性を向上させることができ、しかも、２つの前挿ピンが両側壁により支えられるので、差込強さを高めることもできる。
【図面の簡単な説明】
【０００８】
【図１】従来の技術における電気コネクタの構造を示す斜視図
【図２】本考案の各実施の形態におけるシールドケースを適用する電気コネクタの構成を示す斜視図
【図３】本考案の第１の実施の形態によるシールドケースを示す斜視図
【図４】本考案の第２の実施の形態によるシールドケースを示す斜視図
【図５】本考案の第３の実施の形態によるシールドケースを示す斜視図
【考案を実施するための形態】
【０００９】
次に、この考案を実施するための形態について図を用いて説明する。
ここでまず、ＨＤＭＩ電気コネクタを例示して、シールドケースについて説明する。
図２に示すように、ＨＤＭＩ電気コネクタは、絶縁本体３０と、導電端子２０と、シールドケース１０とを備えて構成され、導電端子２０は絶縁本体３０内に設けられ、シールドケース１０はこの絶縁本体３０を覆うように設けられる。
【００１０】
（実施の形態１）
図３に第１の実施の形態を示している。図３に示すように、シールドケースは、上壁１と、下壁２と、これら上壁１及び下壁２を連結する一対の側壁（左壁３及び右壁４）とを備え、このシールドケース１０の前端面は差込口として、電気コネクタプラグを差し込むために用いられる。
【００１１】
上壁１の前端縁５の左右両側にそれぞれ、外側に１８０°折り返して延ばされる左板壁１５１及び右板壁１５２が設けられる。これらの左板壁１５１、右板壁１５２はそれぞれ、左右両側に沿って下向きに曲げられ延ばされて挿ピン１５４が設けられる。これらの挿ピン１５４はそれぞれ、電気コネクタの前挿ピンとして用いられる。また、左壁３及び右壁４の後端にそれぞれ、下向きに延ばされる挿ピン１５６が設けられる。これらの挿ピン１５６はそれぞれ、電気コネクタの後挿ピンとして用いられる。
【００１２】
下壁２には、３側（３辺）が下壁２から切断され、１側（１辺）のみが下壁２と連結する弾性片２２が設けられ、この弾性片２２の先端に弾性片２２から突出する突当て部２１が設けられる。この突当て部２１は前端縁５に向けて設けられる。
【００１３】
上壁１には、３側（３辺）が上壁１から切断され、１側（１辺）のみが上壁１と連結する弾性片１１が設けられ、この弾性片１１の先端に弾性片１１から突出する突当て部１２が設けられる。この突当て部１２は後端縁６に向けて設けられる。
【００１４】
このようにして電気コネクタプラグをシールドケース１０に差し込むと、弾性片２１、１１に誘導・接触作用が生じる。すなわち、弾性片２１、１１は１側が連結され、３側が切断されているため、この弾性片２１がその弾力により電気コネクタプラグにしっかりと突き当てられる。したがって、突当て部２２、１２が電気コネクタプラグに突き当たることで、電気コネクタプラグが簡単に滑り動かないようになっている。
【００１５】
下壁２にはまた、それぞれ相互に嵌め合い可能に交互にダブテール溝とダブテールブロック２３が設けられ、これにより、下壁２の左右両側が一体化し、緩まないようになっている。
【００１６】
上壁１にはまた、後端縁６に両側が上壁１から切断され、中央部が上壁１と連結する連結部１３が設けられる。この連結部１３の両側は下向きに曲げられており、この連結部１３の下向きに曲げられている両側は、絶縁本体の位置決めを行うように、絶縁本体に作用するようになっている。
【００１７】
左板壁１５１と右板壁１５２にそれぞれ下向きに曲げられ延ばされてなる挿ピン１５４の上方部に止め穴１５７が設けられ、左壁３及び右壁４における当該止め穴１５７に対応する位置にそれぞれ、止め金３４が設けられ、これらの止め金３４の先端が折り曲げられて、止め金３４と止め穴１５７が互いに嵌め合い係止される。これら止め穴１５７と止め金３４により、挿ピン１５４が左壁３と右壁４に支えられ、ピンがよりしっかりと差し込まれるようになっている。
【００１８】
シールドケース１０の上にはまた、固定板１８が設けられる。固定板１８は、上壁１の前端縁５から上向きに折り曲げられ（ここで、下壁２の前端縁５から下向きに折り曲げられ）て、上壁１に対して垂直になる。この固定板１８上にプレート（図示省略）を締め付けるためのネジ穴１９が設けられる。
【００１９】
（実施の形態２）
図４に第２の実施の形態を示している。図４に示すように、このシールドケース１０は、シールドケース１０に固定板１８が設けられていない点で、実施の形態１と相違する。なお、このシールドケースの他の構造は、実施の形態１の構造と同様なので、ここでそれ以上は述べないことにする。
【００２０】
（実施の形態３）
図５に第３の実施の形態を示している。図５に示すように、このシールドケース１０では、上壁１の後端縁６の左右両側にそれぞれ、外側に１８０°折り返して伸ばされる左板壁１５１及び右板壁１５２が設けられ、左板壁１５１は下向きに折り曲げられて挿ピン１５３になり、右板壁１５２は下向きに折り曲げられて挿ピン１５４になり、これらの挿ピン１５３、１５４が電気コネクタの一対の前挿ピンとして用いられるようになっている点で、実施の形態１と相違する。なお、このシールドケースの他の構造は、実施の形態１の構造と同様なので、ここでそれ以上は述べないことにする。
【００２１】
以上の各実施の形態から明らかなように、本考案の特筆すべき点は、左板壁１５１と右板壁１５２の上から伸ばされてなる挿ピンは、コネクタの前挿ピンとして設けられてもよく、コネクタの後挿ピン（図示省略）として設けられてもよく、さらに、これら左板壁１５１と右板壁１５２の上から伸ばされてなる挿ピンにより、電気コネクタの挿ピンの一部が設けられてもよく（すなわち、各板壁に少なくとも一つの挿ピンがあり、コネクタに対して一ペアの挿ピンだけが必要になる場合は、一ペアの挿ピンで全部になる）、また、コネクタの挿ピンの全部が設けられてもよい（すなわち、前後の二ペアの挿ピンまたはそれ以上、言い換えれば、コネクタのあらゆる挿ピンが、左板壁１５１と右板壁１５２の上に設けられてもよい）ことにあり、図面に記載されたものに制限されないことは勿論である。
【００２２】
なお、以上の各実施の形態は、本考案の技術案を説明するために用いられるものであり、それを以って、本考案の実用新案登録請求の範囲が制限されることはなく、この分野の技術者が、本考案の実施の形態を理解したうえ、本考案の技術案に対する改造やそれと同じ置き換えを行っても、それはすべて本考案の範囲に含まれるものである。
【符号の説明】
【００２３】
１  上壁
２  下壁
３  左壁
４  右壁
５  前端縁
６  後端縁
１０  シールドケース
１１  弾性片
１２  突当て部
１３  連結部
１８  固定板
１９  ネジ穴
２０  導電端子
２１  弾性片
２２  突当て部
２３  ダブテールブロック
３０  絶縁本体
３４  止め金
１５１  左板壁
１５２  右板壁
１５３  挿ピン
１５４  挿ピン
１５６  挿ピン
１５７  止め穴
【図１】
0003172106.tif 000003
【図２】
0003172106.tif 000004
【図３】
0003172106.tif 000005
【図４】
0003172106.tif 000006
【図５】
0003172106.tif 000007